(57)【要約】【課題】不正利用者が、ハードディスク装置を開封した時に、磁気記録媒体に記録されたコンテンツの取り出しを確実に阻止する手段を提供する。【解決手段】磁気記録媒体、磁気ヘッドおよび少なくとも磁気記録媒体への書込みおよび再生を行う信号に対して暗号／復号化を行う暗号・復号化回路とを収容し、所定の内圧に維持された筐体と、前記筐体の開封を検出するセンサーと、前記磁気記録媒体の記録面に対向して配置され、前記筐体の開封に伴い、前記磁気記録媒体の記録面を破壊する第一の破壊手段と、前記センサーの検出結果に基づき、前記暗号／復号化回路を破壊する第二の破壊手段とを備える。【選択図】　　　　図３
2004055020.tif 000002
【特許請求の範囲】
【請求項１】
磁気記録媒体、磁気ヘッドおよび少なくとも磁気記録媒体への書込みおよび再生を行う信号に対して暗号／復号化を行う暗号・復号化回路とを収容し、所定の内圧に維持された筐体と、
前記筐体の開封を検出するセンサーと、
前記磁気記録媒体の記録面に対向して配置され、前記筐体の開封に伴い、前記磁気記録媒体の記録面を破壊する第一の破壊手段と、
前記センサーの検出結果に基づき、前記暗号／復号化回路を破壊する第二の破壊手段と
を備えることを特徴とするハードディスク装置。
【請求項２】
前記センサーは、前記筐体の開封時における前記筐体内と筐体外との圧力差により作動するリミットスイッチであることを特徴とする請求項１に記載のハードディスク装置。
【請求項３】
前記第一の破壊手段は、突起を有する剛体板であり、前記筐体内と筐体外との圧力差により前記記録面に接触し、該記録面を機械的に破壊することを特徴とする請求項１または２に記載のハードディスク装置。
【請求項４】
前記第一の破壊手段は、永久磁石板であり、前記筐体内と筐体外との圧力差により前記記録面に近接し、該記録面を磁気的に破壊することを特徴とする請求項１または２に記載のハードディスク装置。
【請求項５】
前記第一の破壊手段は、ヒータ板であり、前記筐体内と筐体外との圧力差により前記記録面に近接し、該記録面を熱的に破壊することを特徴とする請求項１または２に記載のハードディスク装置。
【請求項６】
前記第二の破壊手段は、回路に過電流を印可することにより該回路を破壊することを特徴とする請求項１ないし５のいずれかに記載のハードディスク装置。
【発明の詳細な説明】
【０００１】
【発明の属する技術分野】
この発明は、ハードディスク装置の磁気記録媒体に記録されたコンテンツ情報を、違法な手段で入手しようとして筐体を開封した時に、当該コンテンツ情報を利用できないように、読み出しを不可能にするハードディスク装置に関する。
【０００２】
【従来の技術】
現在のパソコン等の端末機器では、各種のコンテンツがハードディスク装置にプレインストールされていたり、ユーザーが必要とするコンテンツをインターネット等を経由してハードディスク装置にダウンロードして入手したりすることにより、それらを容易に利用することが出来るようになって来ている。そこで、このようにコンテンツが広く行き渡るようになるのに伴い、そのコンテンツの不正利用を確実に防止することも求められて来ている。
【０００３】
従来、不正利用を防止するためには、ＩＤ番号やパスワードが設定され、契約者のみが使用できるようにされていたが、契約者がＩＤ番号，パスワードを第三者に漏洩し、この第三者が不正使用を行っているケースも見受けられた。このため、新たな対策として、記録媒体個々にＩＤを埋め込んでおき、例えばコンテンツを利用する為に必要なコンテンツキーを、前記ＩＤを基にして作成し、これによりコンテンツの利用権を与えると共に、当該コンテンツに対して暗号化を施すようなシステムが提案されている。このようにすれば、媒体に埋め込まれているＩＤや、暗号／復号化チップが盗まれない限り、素人に限らず、マニア等によるコンテンツの不正利用は完全に阻止されることになる。
【０００４】
【発明が解決しようとする課題】
しかしながら、上記のような不正防止の対策を行っていても、専門知識を持っている者が、ハードディスク装置を分解し、記録媒体の記録面の記録状態を磁気ヘッドを用いて読み取り、暗号／復号化ＩＣでの信号処理の内容を解読すれば、コンテンツ，コンテンツキー，ＩＤ等を盗み取ることは原理的に可能である。
【０００５】
このため、磁気記録媒体を密封された筐体の中に収納し、前記筐体が分解された時点で、記録媒体の記録面を磁気ヘッドにより読み取れないように変形させるか、溶解させる手法が提案されている。しかし、この手法のみでは、保護の完全が期しがたいため、他の破壊手法も併用して行う必要が生じている。
【０００６】
本発明は、上記のような問題に鑑みて、不正利用者が、ハードディスク装置を開封した時に、磁気記録媒体に記録されたコンテンツの取り出しを確実に阻止する手段を提供するものである。
【０００７】
【課題を解決するための手段】
上述の要求を満たす本発明のハードディスク装置は、磁気記録媒体、磁気ヘッドおよび少なくとも磁気記録媒体への書込みおよび再生を行う信号に対して暗号／復号化を行う暗号・復号化回路とを収容し、所定の内圧に維持された筐体と、前記筐体の開封を検出するセンサーと、前記磁気記録媒体の記録面に対向して配置され、前記筐体の開封に伴い、前記磁気記録媒体の記録面を破壊する第一の破壊手段と、前記センサーの検出結果に基づき、前記暗号／復号化回路を破壊する第二の破壊手段とを備えることを特徴とする。
【０００８】
ここで、前記センサーは、前記筐体の開封時における前記筐体内と筐体外との圧力差により作動するリミットスイッチであってもよい。
【０００９】
また、前記第一の破壊手段は、突起を有する剛体板であり、前記筐体内と筐体外との圧力差により前記記録面に接触し、該記録面を機械的に破壊してもよい。
【００１０】
また、前記第一の破壊手段は、永久磁石板であり、前記筐体内と筐体外との圧力差により前記記録面に近接し、該記録面を磁気的に破壊してもよい。
【００１１】
また、前記第一の破壊手段は、ヒータ板であり、前記筐体内と筐体外との圧力差により前記記録面に近接し、該記録面を熱的に破壊してもよい。
【００１２】
また、前記第二の破壊手段は、回路に過電流を印可することにより該回路を破壊してもよい。
【００１３】
【発明の実施の形態】
以下、本発明の実施の形態を添付図面を参照しつつ説明する。
【００１４】
まず、本発明の第一の実施の形態によるハードディスク装置１００の断面構造を図１に示す。
【００１５】
現在、市販されているハードディスク装置では、サーボ情報，コンテンツ，コンテンツキーなどが記録された磁気記録媒体、磁気記録媒体を一定の回転数で回転させるスピンドルモータ、磁気記録媒体に書きこみ・読み出しを行う磁気ヘッド・ジンバル・アセンブリ、磁気ヘッド・ジンバル・アセンブリの位置をスライドさせるボイスコイルモータなどが設けられている面と、磁気ヘッドでの書き込み・読み出しを行う信号の処理回路および磁気ヘッド・ジンバル・アセンブリの位置を制御するサーボ回路が設けられている面とは、筐体の真中にある仕切りを介して表裏に配置されている。
【００１６】
本発明のハードディスク装置１００では、装置の筐体を密閉構造とし、筐体中に前記の磁気系、駆動系、回路系を１つの密閉室内に配置する構成としている。この目的とするところは、コンテンツが記録された磁気記録媒体およびコンテンツの暗号・復号化を行う回路の双方を不正利用者が容易に取り出せないようにすることにある。
【００１７】
本発明のハードディスク装置１００は、密閉された二室構造となっており、ハードディスク装置の筐体１１０は、固定枠１２０および可動部１３０より構成される内側密閉室１４０を内包し、外側密閉室１５０は、筐体１１０と固定枠１２０および可動部１３０との間の空間にて構成される。内側密閉室１４０内は、所定の圧力に維持され、磁気記録媒体としてのハードディスク１６０、ヘッドアーム１６２、磁気ヘッド１６４、ハードディスク１６０を駆動するスピンドルモータ１６６およびコンテンツの内容を暗号化／復号化する暗号・復号化回路を含んだ回路基板１７０等が配置されている。可動部１３０は、内側密閉室１４０と外側密閉室１５０との差圧による変位量を大きくし、安定的した変位量を得る為に、ゴム等の素材からなるベローズ状に形成され、磁気記録媒体１６０の記録面１６１に対向する位置に配置されている。
【００１８】
次に、図２において、暗号化・復号化による記録媒体のデータの書き込み、読み出しの概要を示す。
【００１９】
磁気記録媒体には、不正使用に対する著作権の保護の為に、コンテンツ，コンテンツキーの各々が暗号化されて格納されている。コンテンツを利用するためにはこれらを復号化して、コンテンツキーの照合を行い、コンテンツを利用する。同様に、コンテンツ配信者からコンテンツおよびコンテンツキーを入手し、磁気記録媒体に記録する場合には、コンテンツおよびコンテンツキーを暗号化する必要がある。なお、コンテンツを利用する際にはコンテンツキーだけでなく、例えば記録媒体に製造時に埋め込まれたシリアル番号を併用しても良い。
【００２０】
以上のことから、磁気記録媒体に記録されたコンテンツは、磁気記録媒体が正常な状態で盗まれたとしても復号化出来ない限り、コンテンツを利用することは出来ない。従って、前記密閉室が開封された時には、磁気記録媒体のみならず、暗号・復号化回路をも破壊することが重要となる。
【００２１】
図３は、密閉室が開封された時に、前述の磁気記録媒体および暗号・復号化回路を破壊する構成を示す。可動部１３０の中心には、磁気記録媒体としてのハードディスク１６０の磁性層を含む記録面１６１に対向して、第一の破壊手段として、磁気記録媒体１６０とほぼ同じ大きさの破壊手段１８０が、支持部材１８２を介して固定されている。支持部材１８２の中心には、案内孔１８２ａが穿設されており、スピンドルモータ１６６のシャフト１６８が嵌合されている。この破壊手段１８０としては、例えば、媒体表面に押し当てて傷を付ける突起部を有する剛体板である傷発生板や、媒体表面に押し当てて強力な外部磁場を発生させ、磁化の向きを一方向に揃わせる永久磁石板や、媒体に記録されたデータが磁化消滅するキュリー温度まで媒体表面を加熱するヒータ板などである。
【００２２】
固定枠１２０には、可動部１３０の先端に設けられた検知バー１３２との接触により可動部１３０の移動を検知するリミットスイッチ１９０が取り付けられており、さらに、ハードディスク装置１００の製造時において、内側密閉室１４０と外側密閉室１５０との間の圧力を適正に設定するために、図５に示すような一方向弁２００が装着されている。この一方向弁２００は、内側密閉室１４０の方が外側密閉室１５０より圧力が高いときには流出し、逆に低いときには流入を阻止する構造となっている。すなわち、一方向弁２００は、中央の拡径部２０２に移動自在に装着された所定の直径のボール２０４を備え、拡径部２０２の両側に第一および第二のシート部２０６および２０８が形成されている。そして、外側密閉室１５０側に位置される第一のシート部２０６は、図５（Ａ）および（Ｂ）に示すように、ボール２０４の着座によりシールされるのに対し、内側密閉室１４０側に位置される第二のシート部２０８は、ボール２０４が着座しても隙間が形成されるようにその寸法が設定されている。さらに、ハードディスク装置１００の筐体１１０には、圧力抜き口１２２が設けられている。また、１７０はハードディスク装置１００の制御を行う回路等が配された回路基板であり、その配置位置はいずれであってもよい。
【００２３】
このように構成したハードディスク装置においては、可動部１３０の移動に伴い、固定枠１２０に設けられた開封を検出するセンサーであるリミットスイッチ１９０が作動し、第二の破壊手段として図４に示すように通常動作する電圧よりも高い電圧を供給することが可能な１次または２次電池３０２からの電圧を暗号・復号化回路３００に印加することにより過電流を流し、当該回路を発熱・焼損させて、正常な動作が出来なくなるようにする。現在では、暗号・復号化回路は集積化技術によりＩＣ化されており、前記の焼損の影響範囲は、暗号／復号化ＩＣ３００全体に及ぶこととなる。また、１次または２次電池３０２からの電圧が、通常動作する電圧３０４と同一であっても、例えば、回路の入出力部に直接印加することにより過電流を流すことが可能となる。
【００２４】
次に、このような構成のハードディスク装置の組み立てについて説明する。
１）ハードディスクの全部品の組立、配線を実施する。
２）筐体の合わせ面を超音波溶着装置で、溶着接合し、気密構造とする。
３）一方向弁のボールが筐体側に移動するように、ハードディスク装置の姿勢を設定し、筐体に設けられた圧力抜き口から真室ポンプで低圧にする。
４）所定の圧力になった段階で、真空引きを止め、ハードディスク装置の姿勢を１８０度回転させ、一方向弁のボールを内側の密閉室側に移動させる。この状態で、筐体側の圧力を若干高くすれば、一方向弁のボールが圧力差で弁の側面に押されて、内側の密閉室が封止される。
５）筐体の圧力抜き口の封止を熱溶着等の手段を用いて実施する。
【００２５】
なお、筐体内に例えばＡｒのような空気中における含有量が少ない気体や、Ｈｅのような空気中に含まれていない気体を封入し、リミットセンサーの代わりに該気体の濃度変化を検知可能な開封検知センサーを用いても良い。
【００２６】
このように構成したハードディスク装置が、開封された時には、筐体内の気圧が１気圧相当となり、内側の密閉室と大きな圧力差となり、圧力差に伴う力が可動部に働き、膜の引っ張り力と平衡する位置まで、可動部は変形・移動する。これにより、可動部の先端に設けられた媒体の破壊機構によって記録面が破壊され、磁気記録媒体からデータを正常に得ることが出来ないようになる。また、固定枠に設けられたリミットスイッチが可動部の移動に伴い作動し、暗号・復号化回路を焼損させてしまう。このようにして、不正利用者によるコンテンツの盗用に対して、著作権を保護することが出来るのである。
【００２７】
【発明の効果】
以上説明したように、本発明によれば、磁気記録媒体と暗号／復号化回路を密封された筐体の中に収納し、前記の筐体が分解された時点で、記録媒体の記録面の記録状態を、磁気ヘッドによる読み取りを不能とする手段と、読み取れたとしても暗号／復号化ＩＣを使用出来ないようにする手段とを講じて、２つの部分を破壊することにより、より確実にコンテンツの不正入手を阻止することが可能となり、コンテンツ提供者の著作権をより完全に保護することができる。
【図面の簡単な説明】
【図１】本発明によるハードディスク装置の一実施形態を示す断面図である。
【図２】暗号化・復号化による記録媒体のデータの書き込み、読み出しの概要を示す図である。
【図３】本発明によるハードディスク装置の一実施形態における破壊手段の構成を示す図である。
【図４】本発明による暗号／復号化回路を破壊するための回路構成を示す図である。
【図５】本発明における一方向弁の構造を示す、（Ａ）は正面方向、（Ｂ）は側面方向からの断面図であり、（Ａ）および（Ｂ）は空気の移動可能状態を、（Ｃ）は封止状態を示している。
【符号の説明】
１００　ハードディスク装置
１１０　筐体
１２０　固定枠
１２２　圧力抜き口
１３０　可動部
１３２　検知バー
１４０　内側密閉室
１５０　外側密閉室
１６０　磁気記録媒体
１６１　記録面
１６２　ヘッドアーム
１６４　磁気ヘッド
１６６　スピンドルモータ
１６８　シャフト
１７０　回路基板
１８０　破壊手段
１８２　支持部材
１９０　リミットスイッチ
２００　一方向弁
２０２　拡径部
２０４　ボール
２０６　シート部
３００　暗号／復号化ＩＣ
３０２　１次・２次電池
３０４　通常動作時電源
【図１】
2004055020.tif 000003
【図２】
2004055020.tif 000004
【図３】
2004055020.tif 000005
【図４】
2004055020.tif 000006
【図５】
2004055020.tif 000007